(57)【特許請求の範囲】
【請求項１】
帯状で所定の長さに切断して形成される不織布からなる集塵フィルターと、この集塵フィルターの周辺に接着剤を介して設けられるテープ状の高密度不織布材から形成されるフィルター枠とを備え、前記集塵フィルターとフィルター枠との間に金属線等からなる補強枠を介在させ、前記フィルター枠を前記集塵フィルターに接着し、前記集塵フィルターの接着部分を前記接着剤で固め形成したエアフィルター。
【請求項２】
集塵フィルターとフィルター枠との間に一対の分割補強枠を介在させ、分割部分で折り曲げ可能とした請求項１記載のエアフィルター。
【発明の詳細な説明】
【０００１】
【発明の属する技術分野】
本発明は、空気調和機等に組み込まれる熱交換器に通す空気中の塵埃を除去するように設けられるエアフィルターに関する。
【０００２】
【従来の技術】
従来、この種のフィルターとして図８〜図１１に示すものが知られていた。以下その構成について、図８〜図１１を参照しながら説明する。
【０００３】
図に示すように、不織布からなる集塵フィルター１０１の周囲に金型（図示せず）内で樹脂成形枠１０２を一体成形してエアフィルター１０３を形成していた。
【０００４】
そして、空気調和機（図示せず）に組み込まれる熱交換器１０４には、エアフィルター１０３が着脱自在となるように断面Ｌ字型状のフィルター取付枠１０５を形成し、エアフィルター１０３を取り付けていた。
【０００５】
【発明が解決しようとする課題】
このような従来のエアフィルターでは、集塵フィルター１０１の周囲に樹脂成形枠１０２を成形金型で一体成形していたため、金型費用を含めるとトータルの製造コストが割高になるとともに、空気調和機の空調容量により熱交換器１０４の奥行寸法Ｌが変わった場合には、新しく成形金型を作らなければ対応することができないという課題があり、製造コストが安く、熱交換器１０４の奥行寸法Ｌが変わりエアフィルター１０３の長さが変わる場合にも容易に対応できるようにすることが要求されている。
【０００６】
本発明は、このような従来の課題を解決するものであり、製造コストが安く、奥行寸法の長さが変わっても容易に対応し形成することができるエアフィルターを提供することを目的とする。
【０００７】
【課題を解決するための手段】
本発明のエアフィルターは上記目的を達成するために、帯状で所定の長さに切断して形成される不織布からなる集塵フィルターと、この集塵フィルターの周辺に接着剤を介し設けられるテープ状の高密度不織布材から形成されるフィルター枠とを備え、前記集塵フィルターとフィルター枠との間に金属線等からなる補強枠を介在させ、前記フィルター枠を前記集塵フィルターに接着し、前記集塵フィルターの接着部分を前記接着剤で固め形成したものである。
【０００８】
本発明によれば、製造コストが安く、奥行寸法の長さが変っても容易に対応し形成することができるエアフィルターが得られる。
【０００９】
【発明の実施の形態】
本発明は、帯状で所定の長さに切断して形成される不織布からなる集塵フィルターと、この集塵フィルターの周辺に接着剤を介して設けられるテープ状の高密度不織布材から形成されるフィルター枠とを備え、前記フィルター枠を前記集塵フィルターに接着し、前記集塵フィルターの接着部分を前記接着剤で固め形成したものであり、集塵フィルターにフィルター枠を設けるのに成形金型を必要とすることがなくなり、成形金型費や成形加工費が削減され製造コストが安くなるとともに、奥行寸法の長さが変った場合でも容易に対応し形成することができるという作用を有する。
【００１０】
以下、本発明の実施例について図面を参照しながら説明する。
【００１１】
【実施例】
（参考例１）
図１〜図３に示すように、帯状の不織布を所定の長さに切断して集塵フィルター１を形成し、集塵フィルター１の周辺に片面にホットメルト２を塗布したテープ状のフエルト材３を所定の長さに切断してフィルター枠４を形成する。
【００１２】
そして、集塵フィルター１の周辺に重ねられたフィルター枠４を加熱し、加圧することにより、フエルト材３に塗布されたホットメルト２が溶けて集塵フィルター１にフィルター枠４が接着されるとともに、加圧されることにより圧縮された集塵フィルター１の接着部分５にホットメルト２が溶け込み接着部分５がホットメルト２で固められエアフィルター６が形成される。
【００１３】
上記構成において、エアフィルター６は空気調和機（図示せず）に組み込まれている熱交換器７に設けられたフィルター取付枠８に、フィルター枠４部分を介して挿脱される。このとき、集塵フィルター１の周辺はフィルター枠４と集塵フィルター１の接着部分５で固められているので、着脱を簡単に行うことができることとなる。
【００１４】
また、空気調和機の空調容量が変わり、熱交換器７の奥行寸法Ｌが変った場合には、集塵フィルター１の長さを熱交換器７の奥行寸法Ｌの長さに切断し、テープ状のフエルト材３の長さも集塵フィルター１の長さに合わせ設けることにより簡単に対応することができる。
【００１５】
このように本発明の実施例１のエアフィルターによれば、帯状の不織布を切断し形成した集塵フィルター１の周辺にテープ状のフエルト材３からなるフィルター枠４をホットメルト２を介して設け、フィルター枠４を集塵フィルター１に加熱し加圧してエアフィルター６を形成したので、エアフィルター６を形成するのに成形金型が不用となり、製造コストを低減することができるとともに熱交換器の奥行寸法Ｌが変わっても容易に対応してエアフィルター６を形成できる。
【００１６】
なお本実施例では接着剤は熱溶融性のホットメルトを使用しているが、常温で硬化する他の接着剤を使用してもよい。
【００１７】
（実施例１）
図４および図５に示すように、集塵フィルター１とテープ状のフエルト材３により形成されるフィルター枠４との間に金属線をロ字状に形成した補強枠９を介在させている。
【００１８】
エアフィルター６Ａはフィルター枠４を加熱および加圧することにより、ホットメルト２を溶かして集塵フィルター１にフィルター枠４を補強枠９とともに固着して形成している。
【００１９】
上記構成において、エアフィルター６Ａは、集塵フィルター１の周辺に補強枠９が設けられることにより、エアフィルター６Ａの曲りに対する強度が実施例１に比較してさらに高まり、エアフィルター６Ａのフィルター取付枠（図示せず）への取付け時に、エアフィルター６Ａ周縁部の曲がりや変形を防止し、フィルター取付枠より外れることがなくなる。
【００２０】
このように、集塵フィルター１とフィルター枠４との間に補強枠９を介在させたので、エアフィルター６Ａの曲りに対する強度が高まり、フィルター取付枠に取り付けるときの取付操作が容易となる。
【００２１】
（実施例２）
図６および図７に示すように、集塵フィルター１Ａとテープ状のフエルト材３より形成されるフィルター枠４との間に金属線をコ字状に形成した一対の分割補強枠１０を介在させ、各分割補強枠１０間に分割部分１１を設け、折り曲げ可能としている。フィルター枠４を加熱し、加圧することによりホットメルト２を溶かして集塵フィルター１に分割補強枠１０を介在させフィルター枠４を固着し、エアフィルター６Ｂを形成する構成としている。
【００２２】
上記構成において、エアフィルター６Ｂの長さが長いときには、空気調和機に組み込まれた熱交換器に設けられたフィルター取付枠（図示せず）より、エアフィルター６Ｂを取り出すときには、エアフィルター６Ｂが長い状態では取り出しのために大きなスペースが必要となる。このようなときに、エアフィルター６Ｂを分割補強枠１０の設けられていない分割部分１１で折曲げ、エアフィルター６Ｂの取り出し時の突出量を少なくして取り出すことができる。
【００２３】
このように本発明の実施例２のエアフィルターによれば、集塵フィルター１とフィルター枠４との間に分割補強枠１０を介在させ、分割部分１１を折曲自在としたので、エアフィルター６Ｂの掃除時において、空気調和機より取り出すときに、エアフィルター６Ｂを引き出す突出量が多くなって取り出しが困難なときには、分割部分１１で折り曲げ取り出し時の突出量を少なくして取り出せることができ、取り出しに必要なスペースを半減させることができるとともに、空気調和機の設置可能スペースを広げることができる。
【００２４】
【発明の効果】
以上の実施例より明らかなように、本発明によれば帯状で所定の長さに切断して形成される不織布からなる集塵フィルターと、この集塵フィルターの周辺に接着剤を介して設けられるテープ状の高密度不織布材から形成されたフィルター枠とを備え、前記集塵フィルターとフィルター枠との間に金属線等からなる補強枠を介在させ、前記フィルター枠を前記集塵フィルターに熱を加えて加圧接着し、前記集塵フィルターの接着部分を前記接着剤で固め形成したので、奥行寸法の長さが変わっても容易に対応できるエアフィルターを提供でき、生産方法として、成形金型を必要とすることがなくなるので、成形金型費や成形加工費および樹脂材料費が削減されて製造コストが安くなると共に、小量小ロットでも生産が容易となり、かつ短時間で生産が可能となるので短納期でエアフィルターを提供することができる。
【００２５】
さらに、エアフィルターの曲がりに対する強度が高まり、フィルター取付枠に対する取り付けが容易となる。
【００２６】
また、分割した補強枠を介在させ、分割部分で折り曲げ可能としたので、取り出しに必要なスペースを減少させることができる。
【図面の簡単な説明】
【図１】  本発明の参考例１のエアフィルターの構成を示す斜視図
【図２】  同エアフィルターの構成を示す断面図
【図３】  同エアフィルターをフィルター取付枠に取り付ける状態を示す斜視図
【図４】  本発明の実施例１のエアフィルターの構成を示す分解斜視図
【図５】  同エアフィルターの構成を示す断面図
【図６】  本発明の実施例２のエアフィルターの構成を示す分解斜視図
【図７】  同エアフィルターの折り曲げた状態を示す斜視図
【図８】  従来のエアフィルターの構成を示す斜視図
【図９】  同エアフィルターの構成を示す断面図
【図１０】  同エアフィルターをフィルター取付枠に取り付ける状態を示す斜視図
【図１１】  同エアフィルターを取り付けたときの気流の流れを示す断面図
【符号の説明】
１    集塵フィルター
２    ホットメルト（接着剤）
３    フエルト材（高密度不織布材）
４    フィルター枠
５    接着部分
６    エアフィルター
６Ａ  エアフィルター
６Ｂ  エアフィルター
９    補強枠
１０  分割補強枠
１１  分割部分
【図１】
0004156096.tif 000002
【図２】
0004156096.tif 000003
【図３】
0004156096.tif 000004
【図４】
0004156096.tif 000005
【図５】
0004156096.tif 000006
【図６】
0004156096.tif 000007
【図７】
0004156096.tif 000008
【図８】
0004156096.tif 000009
【図９】
0004156096.tif 000010
【図１０】
0004156096.tif 000011
【図１１】
0004156096.tif 000012